(57)【要約】本開示は、デュアルディスプレイ端末の撮影方法及びデュアルディスプレイ端末を提供し、前記デュアルディスプレイ端末の撮影方法は、前記端末の撮影機能がトリガされるときに、前記端末の導電板と前記端末の１つのディスプレイに接触する導体である遮蔽物との間の容量値を取得することと、前記容量値がプリセット条件を満たす場合に、前記端末の第１のディスプレイに撮影インタフェースを表示することとを含む。【選択図】図１
2020503608.tif 000002
【特許請求の範囲】
【請求項１】
端末の撮影機能がトリガされると、前記端末の導電板および前記端末の１つのディスプレイに接触して導体である遮蔽物の間の容量値を取得することと、
前記容量値がプリセット条件を満たす場合、前記端末の第１のディスプレイに撮影インタフェースを表示させることと、を含む、
デュアルディスプレイ端末の撮影方法。
【請求項２】
前記容量値がプリセット条件を満たす場合、前記端末の第１のディスプレイに撮影インタフェースを表示させるステップは、
前記容量値に対応する電圧値を計算するステップと、
前記電圧値が第１のプリセット閾値より大きい場合、前記遮蔽物が前記端末の第１のディスプレイを遮蔽していないと判定し、前記端末の第１のディスプレイに撮影インタフェースを表示させるステップと、を含む、
請求項１に記載の方法。
【請求項３】
前記容量値がプリセット条件を満たさない場合に、前記端末の第２のディスプレイに撮影インタフェースを表示させること、をさらに含む、
請求項１に記載の方法。
【請求項４】
前記容量値がプリセット条件を満たさない場合、前記端末の第２のディスプレイに撮影インタフェースを表示させるステップは、
前記容量値に対応する電圧値を計算するステップと、
前記電圧値が第１のプリセット閾値より小さい場合、前記遮蔽物が前記端末の第２のディスプレイを遮蔽していないと判定し、前記端末の第２のディスプレイに撮影インタフェースを表示させるステップと、を含む、
請求項３に記載の方法。
【請求項５】
前記端末の撮影機能がトリガされると、前記端末の導電板および前記端末の１つのディスプレイに接触する遮蔽物の間の容量値を取得するステップは、
前記端末の撮影機能がトリガされると、端末の検出回路を動作させるように、前記端末の状態スイッチをオンにするステップと、
前記検出回路によって、前記導電板と前記遮蔽物との間の容量値を取得するステップと、を含む、
請求項１〜４のいずれか一項に記載の方法。
【請求項６】
前記導電板は、前記端末ディスプレイのバックシェルに隣接するように設置される、
請求項１〜４のいずれか一項に記載の方法。
【請求項７】
導電板、プロセッサ及びメモリを備えるデュアルディスプレイ端末であって、
前記導電板、プロセッサ及びメモリが端末内に設けられ、かつ、前記プロセッサが導電板およびメモリにそれぞれ電気接続され、前記メモリにコンピュータ実行可能な指令が記憶され、
前記プロセッサは、
前記端末の撮影機能がトリガされると、前記端末の導電板および前記端末の１つの表示ディスプレイに接触して導体である遮蔽物の間の容量値を取得する動作と、
前記容量値がプリセット条件を満たす場合、前記端末の第１の表示ディスプレイに撮影インタフェースを表示させる動作と、を実行するように、
メモリにおけるコンピュータ実行可能な指令を実行する、
デュアルディスプレイ端末。
【請求項８】
前記プロセッサは、さらに、
前記容量値に対応する電圧値を計算する動作と、
前記電圧値が第１のプリセット閾値より大きい場合、前記遮蔽物が前記端末の第１のディスプレイを遮蔽していないと判定し、前記端末の第１のディスプレイに撮影インタフェースを表示させる動作と、を実行するように構成される、
請求項７に記載のデュアルディスプレイ端末。
【請求項９】
前記プロセッサは、さらに、
前記容量値がプリセット条件を満たさない場合、前記端末の第２のディスプレイに撮影インタフェースを表示させる動作を実行するように構成される、
請求項７に記載のデュアルディスプレイ端末。
【請求項１０】
前記プロセッサは、さらに、
前記容量値に対応する電圧値を計算する動作と、
前記電圧値が第１のプリセット閾値より小さい場合、前記遮蔽物が前記端末の第２のディスプレイを遮蔽していないと判定し、前記端末の第２のディスプレイに撮影インタフェースを表示させる動作と、
を実行するように構成される、
請求項９に記載のデュアルディスプレイ端末。
【発明の詳細な説明】
【技術分野】
【０００１】
本開示は、端末通信技術に関するが、これに限定されず、特に、デュアルディスプレイ端末およびデュアルディスプレイ端末の撮影方法に関する。
【背景技術】
【０００２】
通信技術の急速的な発展に伴い、例えばＴｏｕｃｈ、スマートフォン、タブレットコンピュータなどのインテリジェント端末が普及してきており、グローバルな範囲で人気がある。また、デュアルディスプレイ端末は、インテリジェント端末の重要なメンバーとして普及されてきている。デュアルディスプレイ端末の機能が益々強くなり、かつ、２つの大きさ及び解像度が完全に一致するディスプレイを備えることができる。シングルディスプレイ方式で操作するときに、デュアルディスプレイ端末が通常のインテリジェント端末と同じである。しかし、２つのディスプレイが展開されると、デュアルディスプレイ端末のユーザ体験（例えば、ゲーム及びビデオ再生）は、シングルディスプレイ端末より明らかに優れている。
【０００３】
しかしながら、デュアルディスプレイ端末は、端末のカメラで撮影するときに、迅速的な撮影を実現することができない。
【発明の概要】
【０００４】
本開示の１つの実施例は、端末の撮影機能がトリガされると、前記端末の導電板および前記端末の１つのディスプレイに接触して導体である遮蔽物の間の容量値を取得することと、前記容量値がプリセット条件を満たす場合、前記端末の第１のディスプレイに撮影インタフェースを表示させることと、を含むデュアルディスプレイ端末の撮影方法を提供する。
【０００５】
また、本開示の１つの実施例は、導電板、プロセッサ及びメモリを備えるデュアルディスプレイ端末であって、前記導電板、プロセッサ及びメモリが端末内に設けられ、かつ、前記プロセッサが導電板およびメモリにそれぞれ電気接続され、前記メモリにコンピュータ実行可能な指令が記憶され、前記プロセッサは、前記端末の撮影機能がトリガされると、前記端末の導電板および前記端末の１つの表示ディスプレイに接触して導体である遮蔽物の間の容量値を取得する動作と、前記容量値がプリセット条件を満たす場合、前記端末の第１の表示ディスプレイに撮影インタフェースを表示させる動作と、を実行するように、メモリにおけるコンピュータ実行可能な指令を実行する、デュアルディスプレイ端末をさらに提供する。
【図面の簡単な説明】
【０００６】
本開示の内容をより良好に理解するために、以下、図面を参照しながら実施例を説明する。以下説明する図面は、本開示のいくつかの実施例である。当業者にとって、創造的な労働をしない前提でこれらの図面に従って他の図面を取得できる。
【図１】本開示のある実施例によるデュアルディスプレイ端末の撮影方法のフローチャートである。
【図２】本開示のある実施例によるデュアルディスプレイ端末の撮影方法のフローチャートである。
【図３Ａ】本開示のある実施例によるデュアルディスプレイ端末の第１のディスプレイの正面図である。
【図３Ｂ】本開示のある実施例によるデュアルディスプレイ端末の第２のディスプレイの正面図である。
【図３Ｃ】本開示のある実施例によるデュアルディスプレイ端末の断面図である。
【図３Ｄ】本開示のある実施例による検出回路の概略図である。
【図３Ｅ】本開示のある実施例によるデュアルディスプレイ端末がユーザに手持ちされるときの概略図である。
【図４】本開示のある実施例によるデュアルディスプレイ端末の撮影方法のフローチャートである。
【発明を実施するための形態】
【０００７】
本開示の実施例の目的、技術手段及び利点をより明確にするために、以下、本開示の実施例の図面を参照しながら、本開示の実施例における技術手段を明確で完全に説明する。説明する実施例は本開示の一部の実施例であり、全部の実施例ではない。本開示の実施例に基づいて、当業者が創造的な労力をしない前提で取得される他の実施例はいずれも本開示の保護範囲に属する。
【０００８】
デュアルディスプレイ端末に、通常、一つのみのカメラが設けられている。デュアルディスプレイ端末の２つのディスプレイが重なり状態にある場合、例えば、ユーザがカメラで前撮りを実現しようとする場合、カメラと同じ側のディスプレイに撮影インタフェースを表示させるようにを手動で選択する。例えば、ユーザがカメラで後撮りを実現しようとする場合、カメラと反対側のディスプレイに撮影インタフェースを表示させるように手動で選択する。換言すると、ユーザが撮影機能をトリガすると、端末は、ユーザがカメラによる前撮りを図るかまたは後撮りを図るかを判定できず、端末のあるディスプレイに撮影インタフェースを機械的に表示させることのみをする。撮影インタフェースを表示させるディスプレイがユーザの現在の意図を反映するディスプレイではない場合、ユーザは、他のディスプレイに撮影インタフェースを表示させるように手動で調整する必要がある。このように、端末は、ユーザがショートカットポタンを押した後に迅速かつ正確に撮影することができず、ユーザの使用体験が低下する。
【０００９】
本開示の実施例による技術手段は、取得された導電板と遮蔽物との間の容量値にに応じてデュアルディスプレイ端末の撮影インタフェースを表示するディスプレイを判定することで、撮影機能をトリガすることによる迅速かつ正確な撮影を実現し、ユーザの使用体験を向上させることができる。以下の実施例は、本開示の技術手段を例示的に説明する。
【００１０】
図１は、本開示のある実施例によるデュアルディスプレイ端末の撮影方法のフローチャートである。図１に示すように、該デュアルディスプレイ端末の撮影方法は、以下のステップを含む。
【００１１】
ステップ１０１において、前記端末の撮影機能がトリガされると、前記端末の導電板および前記端末の１つの表示ディスプレイに接触して導体である遮蔽物の間の容量値を取得する。
【００１２】
一つの例示的な実施例において、前記端末の撮影機能のトリガは、端末内部のソフトウェアで実現されてもよく、端末のポタンで実現されてもよい。該ポタンは、デュアルディスプレイ端末の撮影ポタンであってもよく、撮影ポタン機能が集積された他のポタンであってもよく、デュアルディスプレイ端末の電源ポタン、ボリュームポタンなどを含むがこれに限定されない。ポタンは、デュアルディスプレイ端末の使用者がポタンを押圧して該ポタンに対応するアプリに入るように、デュアルディスプレイ端末のハウジングに設けられてもよい。例えば、ポタンが撮影ポタンであり、かつデュアルディスプレイ端末が待機状態にある場合、ユーザがボタンを押圧すると、デュアルディスプレイ端末は撮影モードに直接に入ることができる。このようにして、ユーザは、デュアルディスプレイ端末を先に起動してから、撮影アイコンをクリックして撮影モードに入るという煩雑な操作を行う必要がない。遮蔽物は導体であってもよい。例えば、該導体は、ユーザの手または他の導体であってもよい。該遮蔽物は前記端末のうちの一つのディスプレイを接触して遮蔽する。１つの例示的な実施例では、遮蔽物がユーザの手であり、かつ、ユーザの手は、デュアルディスプレイ端末を把持するときに、デュアルディスプレイ端末の２つのディスプレイと同時に接触する可能性があり、デュアルディスプレイ端末の２つのディスプレイのいずれか１つのみに接触する可能性もある。ユーザが片手でデュアルディスプレイ端末を把持する際に、通常、デュアルディスプレイ端末の１つのディスプレイのみを接触して遮蔽する。１つの例示的な実施例では、図３Ｅに示すように、ユーザが片手でデュアルディスプレイ端末を把持し、親指でボタンを押圧し、手のひらでデュアルディスプレイ端末の１つのディスプレイを遮蔽し、４本の指がデュアルディスプレイ端末の筐体の外に延びる。ポタンがトリガされることは、ユーザが指でポタンを押圧することであってもよく、ユーザが指でポタンをタッチすることであってもよい。１つの例示的な実施例において、デュアルディスプレイ端末のポタンが押圧されていない時の状態は非動作状態と呼ばれ、デュアルディスプレイ端末のポタンが押圧された時の状態は動作状態と呼ばれてもよい。ユーザの手が端末の一つのディスプレイに接触するかを検出するために、ポタンが非動作状態から動作状態に入り、即ちユーザの手がポタンを押圧した時に、端末内部の回路が動作し、導電板と表示ディスプレイに接触する手との間の容量値を検出する。
端末のディスプレイがタッチ検出の機能を有する場合、端末のディスプレイは、容量性タッチディスプレイまたは抵抗式タッチディスプレイであってもよい。ユーザの手がディスプレイに接触しなてい場合、容量性タッチディスプレイまたは抵抗式タッチディスプレイの電気信号は変化しない。ユーザの手がディスプレイに接触すると、ディスプレイの内部の容量値または抵抗値は、導体である手によって変化する。タッチ検出回路は、容量値と抵抗値の変化を取得して分析することにより、手がディスプレイに接触していると判定する。
【００１３】
撮影機能がトリガされ、かつユーザの手が端末の１つのディスプレイに接触することが検出されると、ユーザの手および導電板は、平板コンデンサの２つの極板を構成する。平板コンデンサの２つの極板が回路に接続されると、端末は、平板コンデンサの容量値を取得することができる。
【００１４】
デュアルディスプレイ端末の撮影機能のトリガがボタンで実現された場合、例えば、ポタンがトリガされた場合、前記導電板と端末の１つのディスプレイに接触する遮蔽物との間の容量値を取得するデュアルディスプレイ端末の検出回路を動作させるように、デュアルディスプレイ端末の状態スイッチがオンになる。例えば、状態スイッチは、デュアルディスプレイ端末プロセッサにおけるＧＰＩＯ（ＧｅｎｅｒａｌＰｕｒｐｏｓｅＩｎｐｕｔＯｕｔｐｕｔ−−汎用入力／出力）スイッチであってもよい、前記検出回路は、プロセッサにおけＡＤＣ（アナログデジタル変換）サンプリング回路であってもよい。
【００１５】
１つの例示的な実施例では、デュアルディスプレイ端末の撮影ポタンがユーザの手でトリガされると、プロセッサ上のＧＰＩＯスイッチがオンになり、プロセッサにおけるＡＤＣサンプリング回路を動作開始させ、それにより導電板と手のひらとの間の容量値を検出して取得する。
【００１６】
ステップ１０２において、前記容量値がプリセット条件を満たす場合、前記端末の第１の表示ディスプレイに撮影インタフェースを表示させる。
【００１７】
例えば、前記容量値がプリセット条件を満たさない場合、前記端末の第２のディスプレイに撮影インタフェースを表示させる。
【００１８】
１つの例示的な実施例では、デュアルディスプレイ端末の２つのディスプレイを第１のディスプレイおよび第２のディスプレイと呼ぶ。デュアルディスプレイ端末の厚さ及び重さを低減させ、ユーザがデュアルディスプレイ端末を把持や携帯しやすくするために、デュアルディスプレイ端末の１つのディスプレイディスプレイのみにマザーボードを設置してもよい。マザーボードは、プロセッサ、メモリ、検出回路、集積回路などの電子素子を備えてもよい。これら電子素子によって、マザーボードを備えたディスプレイの厚さがマザーボードを備えていないディスプレイの厚さよりも大きくなる。通常、マザーボードを備えたディスプレイは、順に並べた第１の表示ユニット、マザーボード及び第１のバックキャビネットを備えるが、マザーボードを備えていないディスプレイは、順に並べた第２の表示ユニット及び第２のバックキャビネットを備える。導電板の設置は、デュアルディスプレイ端末の表示及びタッチ機能に影響しないようにすべきである。導電板がマザーボードを備えていないディスプレイに設置される場合、導電板を第２の表示ユニットと第２のバックキャビネットとの間に設置してもよい。導電板がマザーボードを備えたディスプレイに設置される場合、マザーボードにおける電子素子の、導電板とユーザの指との間の容量値に対する影響を回避するために、導電板をマザーボードと第１のバックキャビネットとの間に設置してもよい。つまり、導電板は、前記端末ディスプレイのバックシェルに隣接するように設置される。
【００１９】
図３Ｃは、本開示のある実施例によるデュアルディスプレイ端末の断面図である。１つの例示的な実施例では、図３Ｃに示すように、デュアルディスプレイ端末３００は、第１のディスプレイと第２のディスプレイを備え、第１のディスプレイは、第１の表示ユニット３３１、マザーボード３１１及び第１のバックシェル３３３を備え、マザーボード３１１は、プロセッサ、ドライブ及びメモリなどの素子を備える。第２のディスプレイは第２の表示ユニット３３５と第２のバックシェル３３４を含む。導電板３１０は、第２の表示ユニット３３５と第２のバックシェル３３４との間に位置する。
【００２０】
図３Ｃに示すように、第１の表示ユニット３３１と導電板３１０との間の距離は第２の表示ユニット３３５と導電板３１０との間の距離より大きいことがわかる。例えば、ユーザの手が第２の表示ユニット３３５に接触すると、手のひらと導電板３１０との間の距離はｄ１であり、容量値はＣ１である。ユーザの手が第１の表示ユニット３３１に接触すると、ユーザの手のひらと導電板３１０との間の距離はｄ２であり、容量値はＣ２である。このとき、ｄ１＜ｄ２である。
【００２１】
当業者であれば理解するであろう、導電板が第１のディスプレイのマザーボードと第１のバックキャビネットとの間に設置される場合にも、マザーボードが存在するため、ｄ１＜ｄ２を満たす。
【００２２】
平板コンデンサの容量計算式はＣ＝ε＊Ｓ／ｄである。ここで、εは２つの導電板間の媒体の誘電率であり、Ｓはユーザの手のひらと導電板との間の有効面積であり、ｄは手のひらと導電板との間の距離である。誘電率εが定数であるため、ユーザによって手のひらと導電板との間の有効面積Ｓの変化量が大きくないため、容量値への影響を無視してもよい。このため、手のひらと導電板との間の距離の変化は、容量値の変化を起こす。式から分かるように、距離ｄは容量値Ｃに反比例する。ｄ１＜ｄ２から、Ｃ１＞Ｃ２であることが得られる。
【００２３】
上記の例から分かるように、手のひらが第１の表示ユニットに接触する時に取得される容量値と、手のひらが第２の表示ユニットに接触する時に取得される容量値とは、大きさが異なる。したがって、本実施例において、容量値がプリセット条件を満たす場合、ユーザの手のひらがどのディスプレイに接触したかを判定し、ユーザの手のひらと接触しないディスプレイに撮影インタフェースを表示させることができるようなプリセット条件を設定してもよい。
【００２４】
例えば、プリセット条件は、予め設定されるプリセット閾値であってもよい。前記プリセット閾値は、容量値を単位とし、事前の大量の実験でユーザの様々な携帯電話の握り方をシミュレーションすることで得られる。容量値がプリセット条件を満たすこととは、容量値がプリセット閾値より大きいまたはプリセット閾値より小さいことであってもよく、ユーザの需要に応じて柔軟に設定してもよい。
【００２５】
１つの例示的な実施例では、図３Ｃに示すように、ユーザの手が第２の表示ユニット３３５に接触すると、手のひらと導電板との間の容量値はＣ１であり、ユーザの手が第１の表示ユニット３３１に接触すると、ユーザの手のひらと導電板との間の容量値はＣ２であり、かつＣ２＜Ｃ１である。プリセット閾値は、ユーザの手が異なるディスプレイに接触するときに取得される容量値の大きさがプリセット閾値の大きさと異なるように、Ｃ２＜Ｃｘ＜Ｃ１に設置されてもよい。プリセット閾値がＣｘである場合、ユーザの手と導電板との間の距離はｄｘであることを推定できる。当業者であれば理解するであろう、該距離ｄｘはＣｘにより推定された理論値であり、仮定の距離であってもよい。実際には、ユーザの手と導電板との間の距離がｄｘであることは存在しない場合もある。
【００２６】
デュアルディスプレイ端末は、第１のディスプレイと第２のディスプレイとの２つのディスプレイを備える。
【００２７】
容量値がプリセット条件を満たすことは、取得された容量値が第１のプリセット閾値より大きいことを指す場合、容量値がプリセット条件を満たさないこととは、取得された容量値が第１のプリセット閾値より小さいことを指す。容量値がプリセット閾値を満たす場合のユーザの手と導電板との間の距離は、容量値がプリセット閾値を満たしない場合のユーザの手と導電板との間の距離より小さいことが分かる。このとき、第１のディスプレイは、デュアルディスプレイ端末におけるマザーボードなどの部品を備えた側のディスプレイであり、第２のディスプレイは、その反対側のディスプレイである。
【００２８】
容量値がプリセット条件を満たすことは、取得された容量値が第１のプリセット閾値より小さいことであれば、容量値がプリセット条件を満たさないことは、取得された容量値が第１のプリセット閾値より大きいことである。容量値がプリセット閾値を満たす場合のユーザの手と導電板との間の距離は、容量値がプリセット閾値を満たしない場合のユーザの手と導電板との間の距離より大きいことが分かる。このとき、第１のディスプレイは、デュアルディスプレイ端末におけるマザーボードなどの部品を備えていない側のディスプレイであり、第２のディスプレイは、その反対側のディスプレイである。
【００２９】
例えば、前記容量値がプリセット条件を満たす場合、前記デュアルディスプレイ端末は、１つの提示インタフェースをさらに表示させ、ユーザに撮影インタフェースに入るか否かを提示してもよい。ユーザがＹＥＳを選択すると撮影インタフェースに入り、ユーザがＮＯを選択すると撮影インタフェースに入らない。これにより、ユーザの誤操作を防止することができる。
【００３０】
本実施例の技術手段では、導電板と端末ディスプレイに接触する遮蔽物との間の容量値を取得し、容量値がプリセット条件を満たすときに、第１のディスプレイに撮影インタフェースを表示させることにより、ポタンを押圧することで迅速かつ正確に撮影モードに入り、ユーザの使用体験を向上させることができる。
【００３１】
図２は、本開示のある実施例によるデュアルディスプレイ端末の撮影方法のフローチャートである。図２に示すように、該デュアルディスプレイ端末の撮影方法は、以下のステップを含む。
【００３２】
ステップ２０１において、前記端末の撮影機能がトリガされると、前記端末の導電板および前記端末の１つの表示ディスプレイに接触して導体である遮蔽物の間の容量値を取得する。
【００３３】
該ステップ２０１は、上記実施例のステップ１０１と類似し、関連技術の特徴の説明はステップ１０１の説明を参照してもよい。
【００３４】
ステップ２０２において、前記容量値に対応する電圧値を計算する。
【００３５】
検出回路によって検出された導電板と導電板がポタンに接触する遮蔽物との間の容量値は小さい可能性がある。直接的に該容量値に従って端末のどのディスプレイに撮影インタフェースを表示させるかを判断すると、判断精度が高くないことが発生可能である。このため、容量値に対して計算処理を行い、容量値に対応する電圧値を得ることで後続の動作を行ってもよい。例えば、前記電圧値は、内部増幅回路によりさらに増幅処理され、判断精度を向上させてもよく。例示的な実施例では、第１のプリセット閾値は容量値である。判断精度を向上させるために、取得された導電板と遮蔽物との間の容量値を電圧値に変換してもよい。このとき、判断しやすいために、第１のプリセット閾値も電圧値に変換してもよい。
【００３６】
１つの例示的な実施例では、検出回路はＡＤＣ（Ａｎａｌｏｇ−ｔｏ−ＤｉｇｉｔａｌＣｏｎｖｅｒｔｅｒ，ＡＤＣ）サンプリング回路である。ＡＤＣサンプリング回路は、連続的に変化するアナログ信号を離散的に変化するデジタル信号に変換する素子である。本実施例では、ＡＤＣサンプリング回路により導電板と遮蔽物との間の容量値をサンプリングしてもよい。サンプリングした容量値がアナログ信号であり、ＡＤＣサンプリング回路は、容量値を電圧値に変換し、該電圧値をデジタル信号に離散的に変化し、デジタル信号とプリセット閾値とを比較し、端末のどのディスプレイに撮影インタフェースを表示させるかを判定し、判断精度を向上させる。
【００３７】
ステップ２０３において、前記電圧値が第１のプリセット閾値より大きい場合、前記遮蔽物が前記端末の第１のディスプレイを遮蔽していないと判定し、前記端末の第１のディスプレイに撮影インタフェースを表示させる。
前記電圧値が第１のプリセット閾値より小さい場合、前記遮蔽物が前記端末の第２のディスプレイを遮蔽していないと判定し、前記端末の第２のディスプレイに撮影インタフェースを表示させる。
【００３８】
１つの例示的な実施例では、図３Ｃに示すように、カメラが第１のディスプレイに位置する場合、デュアルディスプレイ端末の第１のディスプレイは、メモリ、プロセッサ及びドライブが設けられたマザーボードを備えているため、第１のディスプレイの厚さは第２のディスプレイより大きい。カメラがユーザに向いた場合、遮蔽物（例えば、ユーザの手のひら）は第２のディスプレイの側に位置する。このとき、手のひらと導電板との間の距離をｄ１とし、ｄ１は０以上の正数である。カメラがユーザに背向する場合、手のひらは第１のディスプレイの一側に位置する。このとき、手のひらと導電板との間の距離をｄ２とし、ｄ２は０以上の正数である。第１のディスプレイの側にマザーボードなどの部品が備えているため、ｄ１＜ｄ２である。式Ｃ＝ε＊Ｓ／ｄ（ここで、εは２つの導電板間の媒体の誘電率であり、Ｓは手のひらと導電板との間の有効面積であり、ｄは手のひらと導電板との間の距離である）に従って、誘電率εは定数であるため、ユーザによって手のひらと導電板との間の有効面積Ｓの変化量が大きくないため、容量値への影響を無視してもよい。このため、手のひらと導電板との間の距離の変化は、容量値の変化を起こす。式から分かるように、距離ｄは容量値Ｃに反比例する。また、ｄ１＜ｄ２であるため、カメラがユーザに向いた場合の容量Ｃ１は、カメラがユーザの反対方向に向いた場合の容量Ｃ２よりも大きく、Ｃ１に対応する電圧値Ｖ１は、Ｃ２に対応する電圧値Ｖ２よりも大きい。したがって、デュアルディスプレイ端末の内部に電圧値を単位とする第１のプリセット閾値を設定すると、計算して得られた電圧値が第１のプリセット閾値より大きい場合、手のひらが前記端末の第１のディスプレイ、すなわち、第１の表示ユニット３３１を遮蔽していないと判定し、デュアルディスプレイ端末は、第１のディスプレイに撮影インタフェースを表示させる。計算して得られた電圧値が第１のプリセット閾値より小さい場合、手のひらが前記端末の第２のディスプレイ、すなわち、第２の表示ユニット３３５を遮蔽していないと判定し、デュアルディスプレイ端末は、第２のディスプレイに撮影インタフェースを表示させる。
【００３９】
本実施例の技術手段では、デュアルディスプレイ端末、単一のカメラの場合、第１のプリセット閾値を設定することで手のひらに遮蔽されていないディスプレイを判定し、ユーザの撮影方向の需要を判断し、対応するディスプレイを決定して撮影インタフェースを示せ、それにより迅速かつ正確に撮影インタフェースに入り、ユーザ体験を向上させることができる。
【００４０】
図３Ａ、図３Ｂ、図３Ｃ及び図３Ｄは、本開示のある実施例によるデュアルディスプレイ端末３００を示す。図３Ａは、本開示のある実施例によるデュアルディスプレイ端末の第１のディスプレイの正面図である。図３Ｂは、本開示のある実施例によるデュアルディスプレイ端末の第２のディスプレイの正面図である。図３Ｃは、本開示のある実施例によるデュアルディスプレイ端末の断面図である。図３Ｄは、本開示のある実施例による検出回路の対応回路図である。
【００４１】
デュアルディスプレイ端末は、パーソナルデジタルアシスタント（ＰＤＡ）、パーソナルコンピュータ、タブレットコンピュータ、携帯電話、テレビ電話、ゲーム機、電子アルバム、ビデオ会議端末などであってもよく、そのうちの２つまたは複数の組み合わせを含んでもよい。なお、デュアルディスプレイ端末３００は、携帯型デュアルディスプレイ電子素子の一例であることを理解すべきである。
【００４２】
１つの例示的な実施例では、図３Ａ−３Ｂに示すように、デュアルディスプレイ端末３００は、プロセッサ３０１、第１のディスプレイ３０２、第２のディスプレイ３２０、回転軸３０３、カメラ３０４、スピーカ３０５、ボリュームポタン３０８、電源ポタン３０７、撮影ポタン３０６、メモリ３０９、導電板３１０及びマザーボード３１１を備える。
【００４３】
上記のように説明したデュアルディスプレイ端末３００の部品は、説明するための例に過ぎない。デュアルディスプレイ端末３００の部品は、図示より多いまたは少なくてもよい。図に示すポタンの配列は、説明するための例に過ぎず、他の合理的な配置方式も本開示の保護範囲内に含まれる。図３Ａ及び図３Ｂに示す様々な部品は、ハードウェア、ソフトウェアまたはそれらの組み合わせで実現してもよく、１つまたは複数の信号処理、及び／または専用の集積回路を備えてもよい。
【００４４】
プロセッサ３０１およびメモリ３０９は、デュアルディスプレイ端末３００のマザーボード３１１に位置してもよい。マザーボード３１１は、プロセッサ３０１およびメモリ３０９以外のメモリ、メモリ制御器、１つまたは複数の処理ユニット（ＣＰＵ）、周辺機器インタフェース、ＲＦ回路、音声回路マイク、入出力（Ｉ／Ｏ）サブシステム、他の出力または制御装置及び外部ポートをさらに備えてもよい。これら部品は、１つまたは複数の通信バスまたは信号線を介して通信してもよい。スピーカ３０５は、デュアルディスプレイ端末３００の音声回路に接続され、電気信号を人間の可聴音に変換してもよい。ボリュームポタン３０８は、デュアルディスプレイ端末３００にボリュームの大きさの調整機能を提供できる。
【００４５】
第１のディスプレイ３０２および第２のディスプレイ３２０は、デュアルディスプレイ端末とユーザとの間の出力インタフェース及び入力インタフェースとしてもよい。ここで、第１のディスプレイ３０２および第２のディスプレイ３２０は、触覚に基づいてユーザの入力を受けることができる。第１のディスプレイ３０２および第２のディスプレイ３２０は、ＬＣＤ（液晶ディスプレイ）技術またはＬＰＤ（発光ポリマーディスプレイ）技術で表示してもよいが、他の実施例において他の表示技術を使用してもよい。
【００４６】
図３Ａおよび３Ｂに示すデュアルディスプレイ端末３００は、撮影のための１つの撮影ポタン３０６を備える。当業者であれば理解するであろう、例えば、デュアルディスプレイ端末３００に撮影ポタン３０６を備えずにその機能をボリュームポタン３０８または電源ポタン３０７に集積してもよく、その機能をデュアルディスプレイ端末３００内部のソフトウェアで実現してもよい。
【００４７】
１つの例示的な実施例では、図３Ａに示すように、カメラ３０４が第１のディスプレイ３０２に設けられるが、該カメラ３０４は、第１のディスプレイ３０２の適切な位置領域に位置してもよい。理解するであろう、カメラ３０４の位置は第１のディスプレイ３０２に限定されず、ある実施例において、カメラ３０４は、第２のディスプレイ３２０に位置してもよい。カメラ３０４は、デュアルディスプレイ端末３００のビデオ入力装置であり、ユーザに静止画像またはショットビデオ撮影の機能を提供することができる。
【００４８】
１つの例示的な実施例では、デュアルディスプレイ端末３００の第１のディスプレイ３０２および第２のディスプレイ３２０は、回転可能に接続される。図３Ａ、図３Ｂに示すように、第１のディスプレイ３０２および第２のディスプレイ３２０は、回転軸３０３により回転可能な接続を実現し、第１のディスプレイ３０２および第２のディスプレイ３２０は、回転軸３０３の周りに任意の角度で回転し、ユーザの異なる使用需要を満たすことができる。デュアルディスプレイ端末３００は回転軸３０３を備える場合、デュアルディスプレイ端末３００は、例えば、１つの回転軸角度測定装置を備えることにより第１のディスプレイ３０２と第２のディスプレイ３２０との角度を判定してもよく、該回転軸角度測定装置は、回転軸３０３内の磁石及びマザーボード３１１におけるホールセンサで構成されてもよい。回転軸角度測定装置によって、第１のディスプレイ３０２と第２のディスプレイ３２０との角度が０°ではないことが検出されると、ユーザが回転軸３０３によって第１のディスプレイ３０２及び第２のディスプレイ３２０を展開したことが分かる。該回転軸角度測定装置によって、第１のディスプレイ３０２と第２のディスプレイ３２０との角度が０°であることが検出されると、第１のディスプレイ３０２と第２のディスプレイ３２０とが重合状態にあることが分かる。
【００４９】
第１のディスプレイ３０２および第２のディスプレイ３２０が展開状態にあり、デュアルディスプレイ端末３００によって撮影ポタン３０６の押下が検出された場合、デュアルディスプレイ端末３００は、第１のディスプレイ３０２のみに撮影インタフェースを表示させてもよいが、第２のディスプレイ３２０のみに撮影インタフェースを表示させてもよく、第１のディスプレイ３０２および第２のディスプレイ３２０に撮影インタフェースを同時に表示させてもよい。
【００５０】
図３Ｃに示すように、デュアルディスプレイ端末３００において、第１のディスプレイ３０２は、第１の表示ユニット３３１、マザーボード３１１及び第１のディスプレイバックシェル３３３を備える。第２のディスプレイ３２は、第２の表示ユニット３３５及び第２のディスプレイバックシェル３３４を備える。導電板３１０は、デュアルディスプレイ端末の内部に設けられ、デュアルディスプレイ端末の表示機能に影響しないために、該導電板３１０を第１の表示ユニット３３１の裏側または第２の表示ユニット３３５の裏側に設けてもよい。１つの実施例では、図３Ｃに示すように、導電板３１０は第２の表示ユニット３３５の裏側に設けられ、すなわち、導電板は、第２のディスプレイバックシェル３３４と第２の表示ユニット３３５との間に位置する。また、導電板３１０は、マザーボード３１１と第１のディスプレイバックシェル３３３との間に設置されてもよいことを理解すべきである。上記各部品は、電気接続で通信を実現してもよい。ここで、前記電気接続は、１つまたは複数の通信バスまたは信号線を介して通信してもよい。
【００５１】
図３Ｄは、本開示のある実施例による検出回路の対応回路図である。該検出回路は、デュアルディスプレイ端末の撮影ポタン３０６がトリガされたときに、デュアルディスプレイ端末導電板３１０と遮蔽物との間の容量値を検出することができる。例えば、該検出回路は、検出された容量値を対応する電圧値に計算して変換することができる。１つの例示的な実施例では、図３Ｄにおいて、検出回路は、プロセッサ３０１におけるＡＤＣサンプリング回路３４２であり、遮蔽物は、ユーザの手のひら３４１である。当業者であれば理解するであろう、検出回路は、他の同じ機能を実現する回路であってもよく、遮蔽物は、他の導体であってもよい。図３Ｄに示すように、ＡＤＣサンプリング回路３４２は、導電板３１０と手のひら３４１にそれぞれ接続され、ＡＤＣサンプリング回路３４２と手のひら３４１との間にスイッチ３４３が備えてもよく、スイッチ３４３は、撮影ポタン３０６に接続されてもよい。撮影ポタン３０６がトリガされると、スイッチ３４３はオンとなり、撮影ポタン３０６がトリガされていない場合、スイッチ３４３はオフとなる。
【００５２】
図３Ｄに示す回路図から分かるように、撮影ポタン３０６がトリガされていない場合、スイッチ３４３がオフとなり、ＡＤＣサンプリング回路３４２は非動作状態にあり、撮影ポタン３０６がトリガされると、スイッチ３４３がオンとなり、ＡＤＣサンプリング回路３４２は動作状態にある。このとき、ＡＤＣサンプリング回路３４２は、手のひら３４１と導電板３１０との間の容量Ｃを検出し、容量Ｃを対応する電圧値に変換することができる。
【００５３】
当業者であれば理解するであろう、本開示の検出回路、導電板及び遮蔽物の間の回路は、様々な実現様態があり、かつ、図３Ｄは、検出回路の１種の実現回路のみを示し、本開示の技術手段に対する限定と理解すべきではない。
【００５４】
１つの例示的な実施例では、以下、図３Ａ〜図３Ｄを参照しながら、撮影ポタン３０６がユーザにトリガされるときにデュアルディスプレイ端末３００が実行する動作を説明する。
【００５５】
メモリ３０９に、コンピュータ実行可能な指令が記憶されてもよく、デュアルディスプレイ端末３００の内部に、第１のプリセット閾値が設定されている。ユーザがデュアルディスプレイ端末３００の撮影ポタン３０６をトリガし、かつユーザの手のひら３４１がデュアルディスプレイ端末３００の第１の表示ユニット３３１または第２の表示ユニット３３５に接触して遮蔽するときに、プロセッサ３０１は、メモリ３０９におけるコンピュータ実行可能な指令を動作させ、以下の動作を実行する。ＡＤＣサンプリング回路３４２は、デュアルディスプレイ端末３００の導電板３１０とユーザの手のひら３４１との間の容量値を取得し、前記容量値に対応する電圧値を計算して取得する。前記電圧値が第１のプリセット閾値より小さい場合、手のひら３４１が第１の表示ユニット３３１に接触して遮蔽することを表明し、第２のディスプレイ３２０に撮影インタフェースを表示させる。前記電圧値が第１のプリセット閾値より大きい場合、手のひら３４１が第２の表示ユニット３３５に接触して遮蔽することを表明し、第１のディスプレイ３０２に撮影インタフェースを表示させる。
【００５６】
本実施例では、デュアルディスプレイ端末は、メモリに予め設定されたコンピュータ実行可能な指令をプロセッサによって実行し、これによって、デュアルディスプレイ端末は、単一のカメラの場合、手のひらに遮蔽されていないディスプレイを判定し、遮蔽されていないディスプレイに撮影インタフェースを示せ、それにより迅速かつ正確に撮影インタフェースに入り、ユーザ体験を向上させることができる。
【００５７】
図４は、本開示のある実施例によるデュアルディスプレイ端末の撮影方法のフローチャートである。以下のデュアルディスプレイ端末の応用シナリオにおいて、第１のディスプレイをマザーボードが備えた側のディスプレイとし、第２のディスプレイをマザーボードが備えていない側のディスプレイとし、デュアルディスプレイ端末は、撮影ポタンを備え、かつ、第１のディスプレイと第２のディスプレイとの間の回転軸を備え、遮蔽物はユーザの手のひらであり、導電板は第２の表示ユニットと第２のバックシェルとの間に位置し、カメラは第１のディスプレイに位置することを例として説明する。図４に示すように、該デュアルディスプレイ端末の撮影方法のフローチャートは、以下のステップを含む。
【００５８】
ステップ４０１において、デュアルディスプレイ端末の撮影ポタンがトリガされたか否かを検出する。ＹＥＳであれば、ステップ４０３を実行し、逆であれば、ステップ４０２を実行する。
【００５９】
ステップ４０２において、デュアルディスプレイ端末が元の状態を維持する。
例えば、デュアルディスプレイ端末の元の状態として、２つのディスプレイは、それぞれ待機状態、睡眠状態または動作状態などの状態のいずれかであってもよい。
【００６０】
ステップ４０３において、第１のディスプレイと第２のディスプレイとの角度が０°であるか否かを判断する。ＹＥＳであれば、ステップ４０４を実行し、逆であれば、ステップ４０７を実行する。
【００６１】
ステップ４０４において、検出回路は、デュアルディスプレイ端末の導電板とユーザの手のひらとの間の容量値を取得する。
【００６２】
ステップ４０５において、前記容量値に対応する電圧値を計算する。
【００６３】
ステップ４０６において、電圧値が第１のプリセット閾値より大きいか。ＹＥＳであれば、ステップ４０７を実行し、逆であれば、ステップ４０８を実行する。
【００６４】
ステップ４０７において、デュアルディスプレイ端末は、第１のディスプレイに撮影インタフェースを表示させる。
【００６５】
ステップ４０８において、デュアルディスプレイ端末は、第２のディスプレイに撮影インタフェースを表示させる。
【００６６】
本実施例では、このように流れ・ステップで、デュアルディスプレイ端末は、単一のカメラの場合、ユーザの撮影方向の需要を合理的に判断させ、対応するディスプレイを決定して撮影インタフェースを示せ、それにより迅速かつ正確に撮影インタフェースに入り、ユーザ体験を向上させることができる。
【００６７】
なお、以上の実施例は、本開示の技術手段を説明することのみに用いられ、本開示に対する限定ではない。上記実施例を参照して本開示を詳細に説明したが、当業者であれば理解するであろう、前記各実施例に記載の技術手段を修正するまたはそのうちの一部の技術特徴を同等置換することができ、これら修正または置換は、対応する技術手段の本質を本開示の各実施例の技術手段の旨及び範囲から逸脱することができない。
【図１】
2020503608.tif 000003
【図２】
2020503608.tif 000004
【図３Ａ】
2020503608.tif 000005
【図３Ｂ】
2020503608.tif 000006
【図３Ｃ】
2020503608.tif 000007
【図３Ｄ】
2020503608.tif 000008
【図３Ｅ】
2020503608.tif 000009
【図４】
2020503608.tif 000010
【国際調査報告】
2020503608.tif 000011
2020503608.tif 000012
2020503608.tif 000013
2020503608.tif 000014